(57)【特許請求の範囲】
【請求項１】
発音される楽音の発音タイミングを指定する発音タイミング指定手段を有するとともに、発音される楽音に変位に応じて音楽的効果を付加するための脱着可能な効果付加用アームを有する楽器本体と、発音される楽音の音高を指定する音高指定手段を有してなり前記楽器本体に組み付けられた棹部を備えた電子弦楽器において、前記楽器本体と前記棹部を締結部材によって脱着可能に締結するように構成し、前記効果付加用アームに、前記締結部材を操作して同締結部材による前記楽器本体と前記棹部との締結及び締結解除を可能とする操作部を設けたことを特徴とする電子弦楽器。
【発明の詳細な説明】
【０００１】
【発明の属する技術分野】
本発明は、電子ギターや電子ベースのように楽器本体と棹部を備えてなる電子弦楽器に関する。
【０００２】
【従来の技術】
電子弦楽器の一つである電子ギターは、従来、発音される楽音の発音タイミングを指定する発音タイミング指定手段を有する楽器本体と、発音される楽音の音高を指定する音高指定手段を有してなり楽器本体に組み付けられた棹部とを備えていて、これら楽器本体と棹部とは一体的に固着されていた。
【０００３】
【発明が解決しようとする課題】
ところで、通常、電子ギターは、ケースに収納した状態で保管したり持ち運んだりするものであるが、上記従来の電子ギターにおいては、ケースとして当該電子ギターをそのまま収容可能な大きさのものを必要とする。このため、保管に際して広いスペースを必要としたり、持ち運び難いといった問題があった。
【０００４】
【発明の概要】
本発明は上記した課題に対処するためになされたもので、その目的は、持ち運びが容易な電子弦楽器を提供することにある。
【０００７】
本発明の構成上の特徴は、発音される楽音の発音タイミングを指定する発音タイミング指定手段を有するとともに、発音される楽音に変位に応じて音楽的効果を付加するための脱着可能な効果付加用アームを有する楽器本体と、発音される楽音の音高を指定する音高指定手段を有してなり前記楽器本体に組み付けられた棹部を備えた電子弦楽器において、前記楽器本体と前記棹部を締結部材によって脱着可能に締結するように構成し、前記効果付加用アームに、前記締結部材を操作して同締結部材による前記楽器本体と前記棹部との締結及び締結解除を可能とする操作部を設けたことにある。
【０００８】
これによれば、当該電子弦楽器をケースに収納する際に、締結部材による楽器本体と棹部との締結を解除することによって楽器本体と棹部とを分離して収納することができるため、収納ケースとして比較的小型のものを使用することができ、これにより持ち運びが容易となる。
【０００９】
また、締結部材による楽器本体と棹部との締結及び締結解除は、楽器本体に脱着可能に組み付けられた効果付加用アームに設けた操作部にて締結部材を操作することにより行うことができるため、締結部材を操作するための部材を別に容易する必要がなくて、楽器本体と棹部とを容易に脱着することが可能である。
【００１０】
【発明の実施の形態】
以下に本発明の一実施形態を図面に基づいて説明する。図１〜図８は、本発明に係る電子ギターの第１実施形態を示していて、この電子ギターは、楽器本体としてのボディ１０と、ボディ１０に脱着可能に組み付けられた棹部としてのネック２０と、ボディ１０に組み付けられた効果付加用アームとしてのトレモロアーム３０を備えている。
【００１１】
ボディ１０は、内部に種々の電子部品（ボディ１０の背面に露呈する基板１４に組み付けられている）を有しており、上面略中央には擬似弦固定部材１１が組み付けられるとともに、背面にはカバー１２が組み付けられている。また、ボディ１０における擬似弦固定部材１１の配設位置より上方部位は、ネック２０が組み付けられる被係合部１０ａとされていて、この被係合部１０ａには、図５に示したように、ネック２０をボディ１０に組み付けるための締結部材としてのねじ４１が貫通する４個の貫通穴１０ａ１（ねじ４１のねじ山よりも大径で、ねじ４１の頭部よりも小径のもの）が設けられている。なお、被係合部１０ａの背面には、当て板１５が予め組み付けられている。当て板１５は、略正方形形状をした樹脂製のもので、その四隅には、ねじ４１が貫通する貫通孔１５ａ（ねじ４１のねじ山よりも大径で、ねじ４１の頭部よりも小径のもの）が設けられている。
【００１２】
擬似弦固定部材１１は、発音タイミング指定手段としての擬似弦１３を固定する固定部１１ａと、後述するネック２０の係合部２０ａがボディ１０の被係合部１０ａに組み付けられる際にその位置決め手段として機能する位置決め部１１ｂと、トレモロアーム３０が挿通する挿通孔１１ｃを備えている。
【００１３】
固定部１１ａは、正面視にて略長方形形状をしていて、同固定部１１ａには、上記した電子部品に接続された６本の擬似弦１３が略等間隔に埋設されている。６本の擬似弦１３は、各両端にて固定部１１ａに揺動可能に支持されるとともに、ボディ１０の上面上に浮かせてボディ１０の軸方向（図１の上下方向）に平行に設けられており、ボディ１０の軸直角方向（図１の左右方向）に変位するようになっている。
【００１４】
位置決め部１１ｂは、固定部１１ａの上端に連続して形成されており、正面視にて略Ｌ字形状をしていて、縦壁１１ｂ１と横壁１１ｂ２を備えている。縦壁１１ｂ１は、ネック２０の係合部２０ａをボディ１０の被係合部１０ａに組み付ける際の、係合部２０ａの左右方向における位置決め手段として機能するものである。横壁１１ｂ２は、ネック２０の係合部２０ａをボディ１０の被係合部１０ａに組み付ける際の、係合部２０ａの上下方向における位置決め手段として機能するものである。
【００１５】
挿通孔１１ｃは、固定部１１ａの下方右側部位に設けられた上下方向の長孔であって、図８に示したように、内部に向けて縮径して形成されている。
【００１６】
カバー１２は、図２及び図３に示したように、基板１４を覆うようにボディ１０の背面に７本のねじ４２を用いて組み付けられており、その上端部は、当て板１５の一部を覆っている。また、カバー１２の上端部には、ねじ４１のうちの２本が貫通する２個の貫通孔１２ａ（ねじ４１のねじ山よりも大径で、ねじ４１の頭部よりも小径のもの）が設けられるとともに、下端部には、電池収納部１２ｂが設けられている。
【００１７】
ネック２０は、その下端部に設けられた係合部２０ａにて、４本のねじ４１を用いてボディ１０の被係合部１０ａに脱着可能に組み付けられていて、上面に設けられた指板（フィンガーボード）２１には、ネック２０の軸直角方向（図１の左右方向）に多数のフレット２２が埋設されるとともに、ネック２０の軸方向（図１の上下方向）に音高指定手段である疑似弦２３が埋設されている。また、ネック２０における係合部２０ａの背面には、図６に示したように、ねじ４１が螺合する４個のねじ孔２０ａ１が設けられている。
【００１８】
トレモロアーム３０は、図７に示したように、中間部位にて略直角に折り曲げられていて、その一端側に形成された雄ねじ部３１にて挿通孔１１ｃを挿通し、ボディ１０内部に配設されたボリュームＶに脱着可能に組み付けられており、演奏者による操作によって、図８の矢印方向に揺動して楽音にトレモロ効果を付加するようになっている。また、トレモロアーム３０における雄ねじ部３１の先端部には、ねじ４１に適合するプラス（マイナスでも可能）のドライバビット（操作部）３１ａが一体的に形成されている。
【００１９】
上記のように構成した第１実施形態の電子ギターにおいては、ネック２０の係合部２０ａが擬似弦固定部材１１の縦壁１１ｂ１及び横壁１１ｂ２に当接するように、係合部２０ａをボディ１０の被係合部１０ａに係合させ、その状態にて、４本のねじ４１をボディ１０の背面側から螺合することによって、ボディ１０とネック２０とを締結することができる。また、ねじ４１を取り外すことによって、ボディ１０とネック２０との締結を解除することができる。
【００２０】
したがって、本実施形態の電子ギターにおいては、当該電子ギターをケースに収納する際に、ねじ４１によるボディ１０とネック２０との締結を解除することによってボディ１０とネック２０とを分離して収納することができるため、収納ケースとして比較的小型のものを使用することができ、これにより持ち運びが容易となる。
【００２１】
また、本実施形態の電子ギターにおいて、ねじ４１によるボディ１０とネック２０との締結及び締結解除は、ボディ１０に脱着可能に組み付けられたトレモロアーム３０に設けたドライバビット３１ａにて、ねじ４１を操作することにより行うことができるため、ねじ４１を操作するためのドライバを別に用意する必要がなくて、ボディ１０とネック２０とを容易に脱着することが可能である。なお、ねじ４１を操作するためのドライバを別に用意して、同ドライバによってねじ４１を操作してボディ１０とネック２０との締結及び締結解除を行う場合に比して作業手順が増えることはない。
【００２２】
すなわち、当該電子ギターをケースに収納するに際しては、まず、ボディ１０からトレモロアーム３０を取り外す（この作業は、従来の電子ギターにおいても同様）。次に、同トレモロアーム３０を用いてねじ４１を操作してボディ１０とネック２０との締結を解除し、ボディ１０とネック２０とをケースに収納するとともに、ドライバをドライバ収納ケースに収納する代わりにトレモロアーム３０をケースに収納する。また、当該電子ギターをケースから取り出してボディ１０とネック２０とを組み付けるに際しては、ドライバをドライバ収納ケースから取り出す代わりにトレモロアーム３０をケースから取り出し、同トレモロアーム３０を用いてねじ４１を操作してボディ１０とネック２０とを締結する。そして、ドライバをドライバ収納ケースに収納する代わりにトレモロアーム３０をボディ１０に組み付ける。
【００２３】
また、本実施形態の電子ギターにおいては、カバー１２に設けられた２個の貫通孔１２ａが、ねじ４１のねじ山よりも大径で、ねじ４１の頭部よりも小径とされているため、カバー１２を取り外すことなく、ねじ４１を螺合したり取り外したりすることができ、ボディ１０とネック２０とを容易に脱着することが可能である。
【００２４】
上記第１実施形態においては、４本のねじ４１を用いてボディ１０とネック２０とを脱着可能に組み付けたが、図９〜図１３に示した第２実施形態のように、１本のねじを用いてボディ１１０とネック１２０とを脱着可能に組み付けて実施することも可能である。
【００２５】
図９〜図１３に示した第２実施形態の電子ギターは、ボディ１１０の被係合部１１０ａに設けられる貫通孔１１０ａ１が１個である構成、当て板１１５に設けられる貫通孔１１５ａが１個である構成、擬似弦固定部材１１１における位置決め部１１１ｂの形状が異なる構成及びネック１２０の係合部１２０ａの形状が異なる構成を除いて上記第１実施形態と実質的に同様の構成であるため、同一部材には同一符号を付して詳細な説明は省略する。
【００２６】
貫通孔１１０ａ１は、ネック１２０をボディ１１０に組み付けるためのねじ４１が貫通するもので、ねじ４１のねじ山よりも大径で、ねじ４１の頭部よりも小径に形成されていて、図１０に示したように、ボディ１１０の被係合部１１０ａの上方略中央部位に設けられている。
【００２７】
当て板１１５は、略正方形形状をした樹脂製のもので、ボディ１１０における被係合部１１０ａの背面に予め組み付けられていて、ねじ４１が貫通する貫通孔１１５ａ（ねじ４１のねじ山よりも大径で、ねじ４１の頭部よりも小径のもの）が、被係合部１１０ａに設けられた貫通孔１１０ａ１に対応した部位に設けられている（図１３参照）。
【００２８】
位置決め部１１１ｂは、図９〜図１１に示したように、固定部１１１ａの上端に連続して形成されており、ネック１２０における係合部１２０ａの下端部１２０ａ２の位置決めとして機能する横壁１１１ｂ１と、係合部１２０ａの左端部の位置決めとして機能する左壁１１１ｂ２と、係合部１２０ａの右端部の位置決めとして機能する右壁１１１ｂ３を備えている。なお、横壁１１１ｂ１には、図１３に示したように、係合部１２０ａの下端部１２０ａ２が係合するフランジ部１１１ｂ４が設けられている。
【００２９】
係合部１２０ａは、図１２に示したように、ボディ１１０における固定部１１１ｂの左壁１１１ｂ２と右壁１１１ｂ３間に係合するように幅狭に形成されるとともに、その下端部１２０ａ２は、横壁１１１ｂ１のフランジ部１１１ｂ４に係合するように薄肉に形成されている（図１３参照）。また、係合部１２０ａの背面には、ねじ４１が螺合するねじ孔１２０ａ１が、貫通孔１１０ａ１及び貫通孔１１５ａに対応した部位に設けられている。
【００３０】
上記のように構成した第２実施形態の電子ギターにおいては、ネック１２０の係合部１２０ａを、擬似弦固定部材１１１における固定部１１１ｂの左壁１１１ｂ２及び右壁１１１ｂ３間にてボディ１１０の被係合部１１０ａ上を下方（図９の下方向）に向けてスライドさせ、その下端部１２０ａ２を擬似弦固定部材１１１における固定部１１１ｂのフランジ部１１１ｂ４に係合させる。そして、ねじ４１をボディ１１０の背面側から螺合することによって、ボディ１１０とネック１２０とを締結することができる。また、ねじ４１を取り外すとともに、ネック１２０の係合部１２０ａを上方（図９の上方向）に向けてスライドさせて、下端部１２０ａ２とフランジ部１１１ｂ４とを非係合とすることによって、ボディ１１０とネック１２０との締結を解除することができる。
【００３１】
したがって、この第２実施形態においても上記第１実施形態と同様の作用効果を得ることができる。また、本実施形態においては、擬似弦固定部材１１１の位置決め部１１１ｂに設けた横壁１１１ｂ１、左壁１１１ｂ２及び右壁１１１ｂ３と、横壁１１１ｂ１に設けたフランジ部１１１ｂ４により、ネック１２０の係合部１２０ａを確実に位置決めすることができるとともに、回転を規制することができるため、ねじ４１の本数を１本とすることができ、上記第１実施形態に比してねじ４１を操作する手間を少なくすることができて、ボディ１１０とネック１２０との締結及び締結解除を短時間に行うことができる。
【００３２】
なお、上記第２実施形態においては、位置決め部１１１ｂの左壁１１１ｂ２及び右壁１１１ｂ３を図１１に示した形状に形成して実施したが、これらを図１４に示した形状（各壁１１１ｂ２，１１１ｂ３が内方に向けて突出した突出部１１１ｂ５，１１１ｂ６をそれぞれ有する形状）にして実施することも可能である。この場合には、ネック１２０の係合部１２０ａをボディ１１０の被係合部１１０ａに組み付ける際に、ネック１２０の前方（図１４の上方）への移動を突出部１１１ｂ５，１１１ｂ６によって規制することができるため、ネック１２０の係合部１２０ａをさらに確実に位置決めすることができる。なお、この場合、ネック１２０の係合部１２０ａの形状を図１４に二点鎖線で示した断面凸形状にし、固定部１１１ｂの前面（図１４の上端面）と係合部１２０ａの前面（図１４の上端面）が面一となるようにしても良いし、図１３に示した断面長方形形状のままとしても良い。
【００３３】
なお、上記各実施形態においては、当て板１５，１１５の一部をカバー１２で覆うようにし、第１実施形態においては４本のねじ４１の一部（２本）を、また、第２実施形態においてはねじ４１を、カバー１２の外に配置するようにしたが、これらのねじをもカバー１２で覆うようにしても良い。この場合、各実施形態において、カバー１２で覆われていないねじ４１に対応させてカバー１２に貫通孔１２ａ（ねじ４１のねじ山よりも大径で、ねじ４１の頭部よりも小径のもの）を設けておくと良い。
【００３４】
また、上記各実施形態においては、ボディ１０，１１０とネック２０，１２０とをねじ４１（締結部材）によって脱着可能に組み付けた（締結し）たが、ねじを用いることなく、他の手段によってボディ１０，１１０とネック２０，１２０とを脱着可能に組み付けるようにして実施することも可能である。
【００３５】
他の手段としては、例えば、ボディ１０，１１０の被係合部１０ａ，１１０ａ及びネック２０，１２０の係合部２０ａ，１２０ａのいずれか一方を挿入穴で形成するとともに、他方を同挿入穴に挿入される突起部で形成し、突起部を所定の力で挿入穴に挿入することにより、ボディ１０，１１０とネック２０，１２０とが連結固定される弾性固定機構を設けるようにしても良い。そして、この弾性固定機構の連結固定機能を適宜解除する操作部を設けておき、同操作部の操作時にはボディ１０，１１０とネック２０，１２０との連結固定が解除されるようにしておいても良い。
【００３６】
また、上記各実施形態においては、本発明を電子ギターに実施したが、本発明は、楽器本体と棹部を備えてなる他の電子弦楽器（例えば電子ベース）にも同様に実施することが可能である。
【図面の簡単な説明】
【図１】  本発明に係る電子ギターの第１実施形態を示す正面図である。
【図２】  図１に示した電子ギターの背面図である。
【図３】  図１に示した電子ギターにおいて一部部材を取り外した状態を示す一部破断側面図である。
【図４】  図３に示した電子ギターを分解した状態を示す図である。
【図５】  図１に示した電子ギターのボディにおいて一部部材を取り外した状態を示す正面図である。
【図６】  図１に示した電子ギターにおけるネックの背面図である。
【図７】  図１に示したトレモロアームの正面図である。
【図８】  ボディに設けた挿通孔とボリュームとトレモロアームとの関係を示す図である。
【図９】  本発明に係る電子ギターの第２実施形態を部分的に示した正面図である。
【図１０】  図９に示した電子ギターにおけるボディの正面図である。
【図１１】  図９に示した擬似弦固定部材における１１−１１線に沿った断面図である。
【図１２】  図９に示した電子ギターにおけるネックの背面図である。
【図１３】  図９の１３−１３線に沿った断面図である。
【図１４】  図１１に示した擬似弦固定部材における左壁及び右壁の変形例を示す図１１相当図である。
【符号の説明】
１０，１１０…ボディ（楽器本体）、１３…擬似弦（発音タイミング指定手段）、２０，１２０…ネック（棹部）、２３…擬似弦（音高指定手段）、３０…トレモロアーム（効果付加用アーム）、３１ａ…ドライバビット（操作部）、４１…ねじ（締結部材）。
【図１】
0003666581.tif 000002
【図２】
0003666581.tif 000003
【図３】
0003666581.tif 000004
【図４】
0003666581.tif 000005
【図５】
0003666581.tif 000006
【図６】
0003666581.tif 000007
【図７】
0003666581.tif 000008
【図８】
0003666581.tif 000009
【図９】
0003666581.tif 000010
【図１０】
0003666581.tif 000011
【図１１】
0003666581.tif 000012
【図１２】
0003666581.tif 000013
【図１３】
0003666581.tif 000014
【図１４】
0003666581.tif 000015